(57)【要約】【課題】既存の排水処理設備が無くても洗浄排水を分別回収して処理することができ、導入コストや設置スペースを削減することのできる排水処理機能付きの電気集塵機を提供する。【解決手段】集塵部３の下部に分岐排水管１５を接続し、汚染濃度検知手段２０によって排水の汚染濃度を検知し、流速検知手段２１の流速に応じて洗浄排水を別々の排水回収タンクに分別回収する構成とし、それぞれの排水回収タンクに別々の排水処理手段を備え、浄化後の排水を洗浄液として再利用できる構成としたので、自動で洗浄排水を分別回収し、自動で排水処理を効率よく行うことができるようになり、既存の排水処理設備がなくても洗浄排水を分別回収し適切に処理することができて、導入コストや設置スペースが少なくてすむ洗浄排水処理機能付き電気集塵機１を提供できる。【選択図】図１
2009061371.tif 000002
【特許請求の範囲】
【請求項１】
平板電極板に荷電して集塵する集塵部を備え、前記集塵部の汚れを洗浄するための洗浄手段を備え、前記洗浄手段は前記集塵部を密閉する密閉手段と洗浄液をミスト状に噴霧する噴霧手段と前記洗浄液を貯蔵する洗浄液タンクを備え、前記集塵部内の洗浄排水を排出する排水管を備え、前記排水管は二つ以上に分岐しており、分岐した排水管はそれぞれに開閉自在な開閉手段を備え、前記開閉手段それぞれに独立した排水回収タンクが接続されていることを特徴とする洗浄排水処理機能付き電気集塵機。
【請求項２】
洗浄排水汚染濃度を検知する汚染濃度検知手段を排水管に備えたことを特徴とする請求項１に記載の洗浄排水処理機能付き電気集塵機。
【請求項３】
汚染濃度検知手段に洗浄排水の吸光度を検知する吸光度検知手段を備えていることを特徴とする請求項２に記載の洗浄排水処理機能付き電気集塵機。
【請求項４】
流れる洗浄排水の流れる流速を検知する流速検知手段を排水管に備えたことを特徴とする請求項１〜３のいずれかに記載の洗浄排水処理機能付き電気集塵機。
【請求項５】
回収された洗浄排水を浄化する排水処理手段を独立した排水回収タンクにそれぞれ備えたことを特徴とする請求項１〜４のいずれかに記載の洗浄排水処理機能付き電気集塵機。
【請求項６】
排水処理手段の少なくとも一つに洗浄排水から泡沫を分離する泡沫分離手段を備えたことを特徴とする請求項１〜５のいずれかに記載の洗浄排水処理機能付き電気集塵機。
【請求項７】
排水処理手段の少なくとも一つに洗浄排水を遠心分離する遠心分離手段を備えたことを特徴とする請求項１〜５のいずれかに記載の洗浄排水処理機能付き電気集塵機。
【請求項８】
排水処理手段の少なくとも一つに洗浄排水を濾過する濾過手段を備えたことを特徴とする請求項１〜５のいずれかに記載の洗浄排水処理機能付き電気集塵機。
【請求項９】
汚染濃度検知手段によって検知した汚染濃度に応じて開閉手段を開閉する制御手段を備えたことを特徴とする請求項１〜８のいずれかに記載の洗浄排水処理機能付き電気集塵機。
【請求項１０】
回収された洗浄排水を検知する排水検知手段を排水回収タンクに備え、前記排水検知手段が洗浄排水を検知することによって自動で排水処理手段を作動させることを特徴とする請求項１〜９のいずれかに記載の洗浄排水処理機能付き電気集塵機。
【請求項１１】
汚染濃度が高い順番に集塵部に近い排水回収タンクに分別回収することを特徴とする請求項１〜１０のいずれかに記載の洗浄排水処理機能付き電気集塵機。
【請求項１２】
排水管内を乾燥させる乾燥手段を排水管内に備えたことを特徴とする請求項１〜１１のいずれかに記載の洗浄排水処理機能付き電気集塵機。
【請求項１３】
排水管の上流部に排水中の固形物を分離する固形物回収手段を備えたことを特徴とする請求項１〜１２のいずれかに記載の洗浄排水処理機能付き電気集塵機。
【請求項１４】
貯留槽が樹脂で成型されていることを特徴とする請求項１〜１３のいずれかに記載の洗浄排水処理機能付き電気集塵機。
【発明の詳細な説明】
【技術分野】
【０００１】
本発明は、例えば工場内で発生する粉じんやオイルミストを除去して空気を清浄化するために用いられる電気集塵機に関するものである。
【背景技術】
【０００２】
従来、この種の電気集塵機の洗浄方法として加圧された水を噴霧し粘着性成分を含んだ埃などを洗い流す方法が取られており、またこの種の洗浄排水の処理方法として埃を含んだ洗浄排水を凝集剤と反応させ凝集フロックを形成させ、さらに凝集フロックを加圧浮上させることで排水中の埃などを分離し、発生した汚泥に再び有機凝集剤を添加して再凝集産業廃棄物として廃棄する方法が用いられていた。（例えば特許文献１参照）。
【０００３】
以下、そのような電気集塵機の洗浄方法について図５参照しながら説明する。図５に示すように電気集塵機１０１には洗浄配管１０２と汚水配水管１０３が接続されており、洗浄配管１０２から加圧された水が電気集塵機１０１内に噴霧されることによって、電気集塵機１０１内部の汚れと共に汚水が汚水配水管１０３より排出され、電気集塵機１０１内が洗浄される。汚水配水管１０３から排出される汚水は一度既存の排水処理設備である汚水ピット内に蓄えられ、一定量汚水が蓄積した後、ポンプａ１０５ａより排出され排水処理される。凝集剤溶解装置１０６にて凝集剤を溶解調整し、ポンプｂ１０５ｂより凝集剤溶解液を汚水貯留槽１０７に供給することで汚水と凝集剤溶解液が混合され汚水中の汚染物質が凝集剤と共に凝集され除去される。汚水貯留槽１０７で汚染物質が凝集除去された後の浄化された汚水はポンプｃ１０５ｃより排出される。
【特許文献１】特開平０１−１２７０９６号公報
【発明の開示】
【発明が解決しようとする課題】
【０００４】
しかしながら、このような従来の方法では、既存の排水処理設備がある場合は洗浄排水を既存の排水処理設備で処理することができるが、中小企業などの排水処理設備がない場合は洗浄排水の処理をすることができないという課題がある。また、電気集塵機を洗浄する際に発生する洗浄排水は、生物処理などの適切な方法で浄化処理してから排出しなければ環境中に汚染排水を排出することになり周囲環境を汚染させてしまう。そこで既存の排水処理設備が無い場合、洗浄排水を処理するための排水処理装置を新たに設置する必要があるが、導入コストや設置スペースなど設置上の制約があるという課題がある。また、既存の電気集塵機では発生した洗浄排水を浄化処理するために分別回収することができないという課題がある。そのため、排水処理装置を設置するのが困難であり、洗浄排水を処理することができないために電気集塵機を利用することができないという課題がある。
【０００５】
本発明は、このような従来の課題を解決するものであり、既存の排水処理設備が無くても洗浄排水を処理することができ、また、分別回収することができ、電気集塵機を設置し利用することのできる洗浄排水処理機能付きの電気集塵機を提供することを目的としている。
【課題を解決するための手段】
【０００６】
本発明の洗浄排水処理機能付き電気集塵機は上記目的を達成するために、平板電極板に荷電して集塵する集塵部を備え、前記集塵部の汚れを洗浄するための洗浄手段を備え、前記洗浄手段は前記集塵部を密閉する密閉手段と洗浄液をミスト状に噴霧する噴霧手段と前記洗浄液を貯蔵する洗浄液タンクを備え、前記集塵部内の洗浄排水を排出する排水管を備え、前記排水管は二つ以上に分岐しており、分岐した排水管はそれぞれに開閉自在な開閉手段を備え、前記開閉手段それぞれに独立した排水回収タンクが接続されていることを特徴とする洗浄排水処理機能付き電気集塵機としたものである。
【０００７】
これにより、洗浄排水を分別回収することができるようになり、既存の排水処理設備がなくても利用することのできる排水処理機能付き電気集塵機を提供することができるようになる。
【０００８】
また他の手段は、洗浄排水汚染濃度を検知する汚染濃度検知手段を排水管に備えたことを特徴とする請求項１に記載の洗浄排水処理機能付き電気集塵機としたものである。
【０００９】
これにより、洗浄排水の汚染程度に応じて分別回収することができ、効率よく分別回収することのできる排水処理機能付き電気集塵機を提供することができるようになる。
【００１０】
また他の手段は、汚染濃度検知手段に洗浄排水の吸光度を検知する吸光度検知手段を備えていることを特徴とする請求項２に記載の洗浄排水処理機能付き電気集塵機としたものである。
【００１１】
これにより、精度良く洗浄排水を分別回収することのできる排水処理機能付き電気集塵機を提供することができるようになる。
【００１２】
また他の手段は、流れる洗浄排水の流れる流速を検知する流速検知手段を排水管に備えたことを特徴とする請求項１〜３のいずれかに記載の洗浄排水処理機能付き電気集塵機としたものである。
【００１３】
これにより、簡単に精度良く洗浄排水を分別回収することのできる排水処理機能付き電気集塵機を提供することができるようになる。
【００１４】
また他の手段は、回収された洗浄排水を浄化する排水処理手段を独立した排水回収タンクにそれぞれ備えたことを特徴とする請求項１〜４のいずれかに記載の洗浄排水処理機能付き電気集塵機としたものである。
【００１５】
これにより、分別回収した洗浄排水を適した浄化手段で効率よく処理することのできる排水処理機能付き電気集塵機を提供することができるようになる。
【００１６】
また他の手段は、排水処理手段の少なくとも一つに洗浄排水から泡沫を分離する泡沫分離手段を備えたことを特徴とする請求項１〜５のいずれかに記載の洗浄排水処理機能付き電気集塵機としたものである。
【００１７】
これにより、分別回収した汚染濃度の低い洗浄排水を簡単な浄化手段で処理することのできる排水処理機能付き電気集塵機を提供することができるようになる。
【００１８】
また他の手段は、排水処理手段の少なくとも一つに洗浄排水を遠心分離する遠心分離手段を備えたことを特徴とする請求項１〜５のいずれかに記載の洗浄排水処理機能付き電気集塵機としたものである。
【００１９】
これにより、分別回収した洗浄排水を迅速に浄化処理することのできる排水処理機能付き電気集塵機を提供することができるようになる。
【００２０】
また他の手段は、排水処理手段の少なくとも一つに洗浄排水を濾過する濾過手段を備えたことを特徴とする請求項１〜５のいずれかに記載の洗浄排水処理機能付き電気集塵機としたものである。
【００２１】
これにより、分別回収した洗浄排水を高度に浄化処理することのできる排水処理機能付電気集塵機を提供することができるようになる。
【００２２】
また他の手段は、汚染濃度検知手段によって検知した汚染濃度に応じて開閉手段を開閉する制御手段を備えたことを特徴とする請求項１〜８のいずれかに記載の洗浄排水処理機能付き電気集塵機としたものである。
【００２３】
これにより、汚染濃度の異なる洗浄排水を自動で分別回収することのできる排水処理機能付電気集塵機を提供することができるようになる。
【００２４】
また他の手段は、回収された洗浄排水を検知する排水検知手段を排水回収タンクに備え、前記排水検知手段が洗浄排水を検知することによって自動で排水処理手段を作動させることを特徴とする請求項１〜９のいずれかに記載の洗浄排水処理機能付き電気集塵機としたものである。
【００２５】
これにより、汚染濃度の異なる洗浄排水を自動で分別回収し自動で浄化処理することのできる排水処理機能付電気集塵機を提供することができるようになる。
【００２６】
また他の手段は、汚染濃度が高い順番に集塵部に近い排水回収タンクに分別回収することを特徴とする請求項１〜１０のいずれかに記載の洗浄排水処理機能付き電気集塵機としたものである。
【００２７】
これにより、汚染濃度の低い洗浄排水と汚染濃度の高い洗浄排水を効率よく分別回収できる排水処理機能付き電気集塵機を提供することができるようになる。
【００２８】
また他の手段は、排水管内を乾燥させる乾燥手段を排水管内に備えたことを特徴とする請求項１〜１１のいずれかに記載の洗浄排水処理機能付き電気集塵機としたものである。
【００２９】
これにより、排水管内の雑菌の増殖を抑制することのできる排水処理機能付電気集塵機を提供することができるようになる。
【００３０】
また他の手段は、排水管の上流部に排水中の固形物を分離する固形物回収手段を備えたことを特徴とする請求項１〜１２のいずれかに記載の洗浄排水処理機能付き電気集塵機としたものである。
【００３１】
これにより、排水管内に固形物が蓄積するのを防止する事のできる排水処理機能付電気集塵機を提供することができるようになる。
【００３２】
また他の手段は、貯留槽が樹脂で成型されていることを特徴とする請求項１〜１３のいずれかに記載の洗浄排水処理機能付き電気集塵機としたものである。
【００３３】
これにより、排水回収タンクを新しいものに交換廃棄する際に、容易に廃棄することができる洗浄排水処理機能付き電気集塵機を提供することができるようになる。
【発明の効果】
【００３４】
本発明によれば、電気集塵機を洗浄した際に発生する洗浄排水を電気集塵機内で分別回収することができるようになり、既存の排水処理設備がなくても利用することのできる排水処理機能付き電気集塵機を提供することができるようになる。
【００３５】
また、洗浄排水の汚染程度に応じて分別回収することができ、効率よく分別回収することのできる排水処理機能付き電気集塵機を提供することができる。
【００３６】
また、精度良く洗浄排水の汚染濃度を検知することができるようになり、洗浄排水を精度良く分別回収することができるようになり、精度良く洗浄排水を分別回収することのできる排水処理機能付き電気集塵機を提供することができる。
【００３７】
また、簡単に洗浄排水の汚染濃度を検知することができるようになり、洗浄排水を簡単に精度良く分別することができるようになり、簡単に精度良く洗浄排水を分別回収することのできる排水処理機能付き電気集塵機を提供することができる。
【００３８】
また、洗浄排水を汚染濃度に応じて適した浄化手段で処理することができるようになり、洗浄排水を適した浄化手段で効率よく処理することのできる排水処理機能付き電気集塵機を提供することができる。
【００３９】
また、汚染濃度の低い洗浄排水を簡単な浄化手段で処理することのできる排水処理機能付き電気集塵機を提供することができる。
【００４０】
また、洗浄排水を迅速に浄化処理することのできる排水処理機能付き電気集塵機を提供することができる。
【００４１】
また、分別回収した洗浄排水を高度に浄化処理することのできる排水処理機能付電気集塵機を提供することができる。
【００４２】
また、汚染濃度の異なる洗浄排水を自動で分別回収することのできる排水処理機能付電気集塵機を提供することができる。
【００４３】
また、汚染濃度の異なる洗浄排水を自動で分別回収し自動で浄化処理することのできる排水処理機能付電気集塵機を提供することができる。
【００４４】
また、汚染濃度の排水管内の汚れ付着を抑制することのできる排水処理機能付き電気集塵機を提供することができるようになる。
【００４５】
また、排水管内の雑菌の増殖を抑制することのできる排水処理機能付電気集塵機を提供することができる。
【００４６】
また、排水管内に固形物が蓄積するのを防止する事のできる排水処理機能付電気集塵機を提供することができる。
【００４７】
また、排水回収タンクを新しいものに交換廃棄する際に、容易に廃棄することができる洗浄排水処理機能付き電気集塵機を提供することができる。
【発明を実施するための最良の形態】
【００４８】
本発明の請求項１記載の発明は、本発明の洗浄排水処理機能付き電気集塵機は上記目的を達成するために、平板電極板に荷電して集塵する集塵部を備え、前記集塵部の汚れを洗浄するための洗浄手段を備え、前記洗浄手段は前記集塵部を密閉する密閉手段と洗浄液をミスト状に噴霧する噴霧手段と前記洗浄液を貯蔵する洗浄液タンクを備え、前記集塵部内の洗浄排水を排出する排水管を備え、前記排水管は二つ以上に分岐しており、分岐した排水管はそれぞれに開閉自在な開閉手段を備え、前記開閉手段それぞれに独立した排水回収タンクが接続されていることを特徴とする洗浄排水処理機能付き電気集塵機としたものであり、独立した排水回収タンクに接続された開閉手段を開閉することによって洗浄排水を回収する排水回収タンクを切り替えることができるという作用を有し、洗浄排水の種類によって回収する排水回収タンクを切り替えることができるという作用を有しており、分別回収することができ、洗浄排水を分別回収することによって洗浄排水を排水処理することができるようになるという作用を有し、既存の排水処理設備がなくても利用することのできる排水処理機能付き電気集塵機を提供することができるという作用を有する。
【００４９】
本発明の請求項２記載の発明は、洗浄排水汚染濃度を検知する汚染濃度検知手段を排水管に備えたことを特徴とする請求項１に記載の洗浄排水処理機能付き電気集塵機としたものであり、汚染濃度検知手段が洗浄排水の汚染の程度を検知することができるという作用を有し、洗浄排水の汚染濃度に応じて洗浄排水を別々の排水回収タンクに分別回収することができるという作用を有し、洗浄排水の汚染の程度に応じて排水処理をすることができるようになるという作用を有し、洗浄排水を効率よく処理することのできる排水処理機能付き電気集塵機を提供することができるという作用を有する。
【００５０】
本発明の請求項３記載の発明は、汚染濃度検知手段に洗浄排水の吸光度を検知する吸光度検知手段を備えていることを特徴とする請求項２に記載の洗浄排水処理機能付き電気集塵機としたものであり、吸光度検知手段によって洗浄排水の吸光度を検出することができるという作用を有し、洗浄排水の汚染濃度を精度良く検知することができるという作用を有し、精度良く洗浄排水の汚染濃度に応じて洗浄排水を分別回収することができるという作用を有し、精度良く洗浄排水の汚染濃度に応じた排水処理ができるようになるという作用を有し、精度良く洗浄排水の汚染濃度に応じて効率良く排水処理することができるという作用を有し、精度良く洗浄排水を効率的に排水処理することのできる排水処理機能付き電気集塵機を提供することができるという作用を有する。
【００５１】
本発明の請求項４記載の発明は、洗浄排水の流れる流速を検知する流速検知手段を排水管に備えたことを特徴とする請求項１〜３のいずれかに記載の洗浄排水処理機能付き電気集塵機としたものであり、流速検知手段によって排水管を流れる洗浄排水の流速を検知することができるという作用を有し、洗浄排水の流速によって洗浄排水の汚染濃度を簡単に検知することができるという作用を有し、簡単に精度良く洗浄排水の汚染濃度に応じて効率良く排水処理することができるようになるという作用を有し、簡単に簡単に精度良く洗浄排水を効率的に排水処理することのできる排水処理機能付き電気集塵機という作用を有する。
【００５２】
本発明の請求項５記載の発明は、回収された洗浄排水を浄化する排水処理手段を独立した排水回収タンクにそれぞれ備えたことを特徴とする請求項１〜４のいずれかに記載の洗浄排水処理機能付き電気集塵機としたものであり、排水回収タンクに回収された洗浄排水の汚染濃度に応じて適切な浄化手段で排水処理することができるという作用を有し、洗浄排水の汚染濃度に応じて洗浄排水を適した浄化手段で効率良く排水処理することができるという作用を有し、洗浄排水を適した浄化手段で効率よく排水処理することのできる排水処理機能付き電気集塵機を提供することができるという作用を有する。
【００５３】
本発明の請求項６記載の発明は、排水処理手段の少なくとも一つに洗浄排水から泡沫を分離する泡沫分離手段を備えたことを特徴とする請求項１〜５のいずれかに記載の洗浄排水処理機能付き電気集塵機としたものであり、洗浄排水を泡沫分離によって排水処理することができるという作用を有し、汚染濃度の低い洗浄排水を簡単な浄化手段で排水処理することができるという作用を有し、汚染濃度の低い洗浄排水を簡単な浄化手段で処理することのできる排水処理機能付き電気集塵機を提供することができるという作用を有する。
【００５４】
本発明の請求項７記載の発明は、排水処理手段の少なくとも一つに洗浄排水を遠心分離する遠心分離手段を備えたことを特徴とする請求項１〜５のいずれかに記載の洗浄排水処理機能付き電気集塵機としたものであり、洗浄排水を汚染濃度に応じて遠心分離し排水処理することができるという作用を有し、洗浄排水を迅速に排水処理することができるという作用を有し、洗浄排水を迅速に浄化処理することのできる排水処理機能付き電気集塵機を提供することができるという作用を有する。
【００５５】
本発明の請求項８記載の発明は、排水処理手段の少なくとも一つに洗浄排水を濾過する濾過手段を備えたことを特徴とする請求項１〜５のいずれかに記載の洗浄排水処理機能付き電気集塵機としたものであり、洗浄排水を濾過することによって排水処理することができるという作用を有し、分別回収された洗浄排水を高度に浄化処理することができるという作用を有し、分別回収された洗浄排水を高度に浄化処理することのできる排水処理機能付電気集塵機を提供することができるという作用を有する。
【００５６】
本発明の請求項９記載の発明は、汚染濃度検知手段によって検知した汚染濃度に応じて開閉手段を開閉する制御手段を備えたことを特徴とする請求項１〜８のいずれかに記載の洗浄排水処理機能付き電気集塵機としたものであり、汚染濃度検知手段によって検知した汚染濃度に応じて開閉手段を自動で開閉することができるという作用を有し、汚染濃度の異なる洗浄排水を自動で分別することができるという作用を有し、汚染濃度の異なる洗浄排水を自動で分別することのできる排水処理機能付電気集塵機を提供することができるという作用を有する。
【００５７】
本発明の請求項１０記載の発明は、回収された洗浄排水を検知する排水検知手段を排水回収タンクに備え、前記排水検知手段が洗浄排水を検知することによって自動で排水処理手段を作動させることを特徴とする請求項１〜９のいずれかに記載の洗浄排水処理機能付き電気集塵機としたものであり、回収タンクに回収された洗浄排水を排水検知手段が検知することができるという作用を有し、回収タンクに洗浄排水が回収されると自動で浄化処理することができるという作用を有し、汚染濃度の異なる洗浄排水を自動で分別回収し自動で浄化処理することのできる排水処理機能付電気集塵機を提供することができるという作用を有する。
【００５８】
本発明の請求項１１記載の発明は、汚染濃度が高い順番に集塵部に近い排水回収タンクに分別回収することを特徴とする請求項１〜１０のいずれかに記載の洗浄排水処理機能付き電気集塵機としたものであり、汚染濃度の高い洗浄排水を分別回収した後に汚染濃度の低い洗浄排水を流すことができるという作用を有し、汚染濃度の高い洗浄排水で汚染された排水管内を洗浄できるという作用を有し、排水管内の汚染の蓄積を防止することができるという作用を有し、排水管内の汚染の蓄積を防止することができる排水処理機能付き電気集塵機を提供することができるという作用を有する。
【００５９】
本発明の請求項１２記載の発明は、排水管内を乾燥させる乾燥手段を排水管内に備えたことを特徴とする請求項１〜１１のいずれかに記載の洗浄排水処理機能付き電気集塵機としたものであり、乾燥手段によって排水管内を乾燥させることができるという作用を有し、乾燥によって排水管内の雑菌の増殖を抑制することができるという作用を有し、排水管内の雑菌の増殖を抑制することのできる排水処理機能付電気集塵機を提供することができるという作用を有する。
【００６０】
本発明の請求項１３記載の発明は、排水管の上流部に排水中の固形物を分離する固形物回収手段を備えたことを特徴とする請求項１〜１２のいずれかに記載の洗浄排水処理機能付き電気集塵機としたものであり、排水管の上流部で洗浄排水中の固形物を分離することができるという作用を有し、排水管内に固形物が蓄積することを防止することができるという作用を有し、排水管内に固形物が蓄積するのを防止する事のできる排水処理機能付電気集塵機を提供することができるという作用を有する。
【００６１】
本発明の請求項１４記載の発明は、貯留槽が樹脂で成型されていることを特徴とする請求項１〜１３のいずれかに記載の洗浄排水処理機能付き電気集塵機としたものであり、排水回収タンクを燃料化できる資源ごみとして廃棄できるという作用を有し、排水回収タンクを新しいものに交換廃棄する際に、容易に廃棄することができる洗浄排水処理機能付き電気集塵機を提供することができるという作用を有する。
【００６２】
以下、本発明の実施の形態について、図１〜図４を参照しながら説明する。
【００６３】
（実施の形態１）
図１は本発明の実施の形態１における洗浄排水処理機能付き電気集塵機１の縦断面構成図構成図であり、図２は実施の形態１における洗浄排水処理機能付き電気集塵機１の洗浄工程を説明するフロー図である。
【００６４】
図１において、排水処理機能付電気集塵機１は筐体２内に集塵部３を備え、空気が流入する空気流入口４と空気が排出する空気流出口５を備えている。集塵部３は例えば電圧を印加できる平行電極版を用いることができる。集塵されるものは例えば空気中の粉じんやミスト状のオイルである。集塵部３の上には第一の洗浄液６を噴霧する第一の噴霧手段７と第二の洗浄液８を噴霧する第二の噴霧手段９が配置しており、それぞれ第一のポンプ１０ａと第二のポンプ１０ｂによって第一の洗浄液タンク１１と第二の洗浄液タンク１２に接続されている。
【００６５】
噴霧手段としては例えば二流体ノズルを利用することができ、ポンプとしては例えばコンプレッサーを用いることができる。洗浄液としては例えば例えば水やノニオン性界面活性剤を用いることができ、洗浄液タンクとしては例えばポリタンクを用いることができる。
【００６６】
このように、洗浄手段は第一の洗浄液６と第一の噴霧手段７と第二の洗浄液８と第二の噴霧手段９と第一のポンプ１０ａと第二のポンプ１０ｂと第一の洗浄液タンク１１と第二の洗浄液タンク１２から構成されている。
【００６７】
また、集塵部３を洗浄する再に集塵部３を密閉する密閉手段１３を空気流入口４と空気流出口５の間に備えている。密閉手段１３は例えば電動ダンパーを用いることができる。集塵部３の下には洗浄排水を受けるドレインパン１４ａを設け、洗浄排水を排出する排水口１４ｂを備えている。排水口１４ｂは例えば塩化ビニルチューブを用いた分岐排水管１５を介して第一の排水回収タンク１６ａと第二の排水回収タンク１６ｂと第三の排水回収タンク１６ｃに接続されている。排水回収タンクとしては例えばポリタンクを用いることができる。
【００６８】
それぞれの排水タンクの上流には第一の開閉手段１７ａ、第二の開閉手段１７ｂ、第三の開閉手段１７ｃが備えてあり、それぞれ制御手段１８に配線されている。開閉手段は例えば電磁弁を用いることができる。制御手段１８としては例えば制御プログラムの入力されたマイコンを用いることができる。排水口１４ｂには例えばフィルターメッシュなどを用いた固形物回収手段１９と、制御手段１８に配線された汚染濃度検知手段２０と流速検知手段２１が備えられている。汚染濃度検知手段２０としては、例えば吸光光度計を用いることができ、流速検知手段２１としては例えば電磁式流速センサを用いることができる。
【００６９】
また、分岐排水管１５には制御手段１８に配線された乾燥手段２５が備えられており、例えば加熱ヒーターなどを用いることができる。
【００７０】
また、第二の排水回収タンク１６ｂには戻し配管２６ａが接続されており、戻し配管２６ａは第三のポンプ１０ｃを備え第二の洗浄液タンクに連通している。
【００７１】
上記構成において、密閉手段１３で集塵部３を囲み、続いて第一の噴霧手段７と第二の噴霧手段９から第一の洗浄液６と第二の洗浄液８を集塵部３に吹き付けることによって、洗浄液の飛散を最小限に抑えて集塵部３に付着した粉じんやオイルを除去洗浄することができる。噴霧された洗浄液はドレインパン１４ａで集められ排水口１４ｂから分岐排水管１５を介して排水回収タンクに回収される。
【００７２】
例えば空気中のオイルミストを集塵部３で捕集する場合、第一の開閉手段１７ａを開放し、第二の開閉手段１７ｂと第三の開閉手段１７ｃを閉じるように制御手段１８でコントロールし、電気集塵作動中に捕集される余剰油２２を第一の排水回収タンク１６ａに回収することができる。
【００７３】
電気集塵を中断し集塵部３の洗浄を行う際に、例えばアルカリ洗浄剤２３を第二の噴霧手段９より噴霧させ、集塵部３に付着している余剰油２２と共に洗い流し、排水口１４ｂより排水する。このとき第二の開閉手段１７ｂを開き、第一の開閉手段１７ａと第三の開閉手段１７ｃは閉じておくことによってアルカリ洗浄剤２３を第二の排水回収タンク１６ｂに回収することができる。
【００７４】
次に水２４を第一の噴霧手段７より集塵部３に噴霧し、集塵部に付着しているアルカリ洗浄剤２３と共に洗い流し、排水口１４ｂより排水する。このとき、第三の開閉手段１７ｃを開き、第一の開閉手段１７ａと第二の開閉手段１７ｂを閉じておくことによって水を第三の排水回収タンク１６ｃに回収することができる。また、第二の排水回収タンク１６ｂに回収されたアルカリ洗浄剤２３を第三のポンプ１０ｃを用いて戻し配管２６ａを介して第二の洗浄液タンク１２に戻し再利用することもできる。
【００７５】
洗浄排水を分別回収した後に乾燥手段２５を作動させて分岐排水管１５内部を乾燥させることによって、雑菌の繁殖を防止し排水管内を衛生的に維持することができるようになる。
【００７６】
このように余剰油２２とアルカリ洗浄剤２３と水２４を洗浄工程に合わせて別々に分別回収することができるようになり、余剰油２２とアルカリ洗浄剤２３と水２４を混合させて排水処理することがないので、処理方法が簡単になり、また、分別回収したアルカリ洗浄剤２３や水２４を再利用することができるようになるため、既存の排水処理設備がなくても排水処理することができるようになり、また、洗浄のコストや排水処理のコストを低減させることもできるようになる。また、電気集塵機内で洗浄排水を分別回収するので、新たに排水処理装置を導入しなくても済むようになる。
【００７７】
次に図２を用いて本実施の形態１における洗浄排水処理工程を説明する。集塵部３の洗浄工に合わせて排水処理を開始する工程（Ｓ１）として制御手段１８に開始信号を入力する。開始信号とは例えば制御手段１８の開始スイッチを用いることができる。まず制御手段１８は流速検知手段２１を作動させ、分岐排水管１５内を流れる排水の有無を検知する（Ｓ２）。流速が検知されず排水がないと判断されれば開閉手段は全て閉じられ（Ｓ７）排水処理が終了する（Ｓ８）。
【００７８】
流速が検知され、排水があると検知された場合は、汚染濃度検知手段２０を作動させ、排水の汚染濃度を検出する（Ｓ３）。汚染濃度が高いと判断された場合は第一の開閉手段１７ａのみを開き、第一の排水回収タンク１６ａに汚染濃度の高い排水を回収する（Ｓ４）。次にもう一度Ｓ２に戻り排水の有無を検知し排水がある場合は汚染濃度を計測する。Ｓ３の工程で汚染濃度が中程度と判断された場合は第二の開閉手段のみを開き、第二の排水回収タンク１６ｂに汚染濃度が中程度の排水を回収する（Ｓ５）。
【００７９】
同様にして汚染濃度が低いと判断された場合は第三の開閉手段１７ｃのみを開き、第三の排水回収タンク１６ｃに汚染濃度が中程度の排水を回収する（Ｓ６）。排水がなくなれば、流速検知手段２１によって流速が検出できなくなり、排水がないと判断されるので、全ての開閉手段を閉じる（Ｓ７）ことによって洗浄排水処理を終了する（Ｓ８）。
【００８０】
ここで、排水の汚染濃度はあらかじめ設定しておき制御手段１８にプログラムしておくことができ、例えば吸光度で汚染濃度を検出する際は吸光度の閾値を２つ設定しておくことで３種類の排水を判断することができる。
【００８１】
このように汚染程度の異なる排水が混合してしまう前に、別々に回収することができるので、後で排水を分離する必要がなく簡単にそれぞれ適した排水処理方法を使って排水処理することができる。
【００８２】
（実施の形態２）
図３は本発明の実施の形態２における排水回収タンクの縦断面構成図を示したものであり、図３（ａ）は泡沫分離手段２７を備えた第三の排水回収タンク１６ｃを示したもので、図３（ｂ）は遠心分離手段２８を備えた第二の排水回収タンク１６ｂを示したもので、図３（ｃ）は精密濾過手段２９を備えた第一の排水回収タンク１６ａを示している。実施の形態１と同一部分は同一符号を附し詳細な説明は省く。
【００８３】
図３（ａ）のように、第三の排水回収タンク１６ｃには例えば塩化ビニル管でできた送気管３０を備えた送気ポンプ３１が備えてあり、送気ポンプ３１によって空気が排水回収タンク内の排水中に送気され、泡３２を発生させる。送気ポンプ３１としては例えば、ダイヤフラム式エアーポンプが用いられる。泡沫分離手段２７は第三の排水回収タンク１６ｃ横に備えられており、発生した泡３２が泡沫分離手段２７に回収される。泡沫分離手段２７は第三の排水回収タンク１６ｃ上部に取り付けられた塩化ビニル管などであり、第三の排水回収タンク１６ｃに回収された排水の上に浮上した泡を取り込める高さにあらかじめ調節されたものである。
【００８４】
上記構成において、第三の排水回収タンク１６ｃに回収された排水が例えば界面活性剤を含んだ水の場合、水中の界面活性剤が泡３２になることによって濃縮され、さらに泡３２に水中の固形物が付着し浮上する。さらに、泡沫分離手段２７によって浮上した泡３２を回収することによって濃縮された界面活性剤と固形物が排水から取り除かれることになり、簡単に水を浄化することができるようになる。
【００８５】
図３（ｂ）のように、第二の排水回収タンク１６ｂの底部には遠心分離手段２８が接続されており、固液分離された排水が排出される第二の戻し配管２６ｂが第二の排水回収タンク１６ｂ上部に接続されており、遠心分離手段２８は制御手段１８に配線されている。遠心分離手段２８は例えば分離板型遠心分離機を用いることができる。
【００８６】
上記構成において、遠心分離手段２８を作動させることによって、遠心力を利用して第二の排水回収タンク１６ｂに回収された排水が底部から遠心分離手段２８に流入し、遠心分離手段２８によって固液分離され固形物が除去され浄化された排水が第二の戻し配管２６ｂを介して第二の排水回収タンク１６ｂへ戻される。固液分離された固体は遠心分離手段２８内部に回収される。排水としては例えばアルカリ洗浄剤を固液分離することができ、浮遊固形物としては例えば、集塵部３に粉じんやオイルミストといっしょに集塵された空中に浮遊している埃や金属カスなどである。
【００８７】
図３（ｃ）のように、第一の排水回収タンク１６ａには精密濾過手段２９が接続されており、精密濾過手段２９には第四のポンプ１０ｄが備えられており、第四のポンプ１０ｄは制御手段１８に配線されている。精密濾過手段２９は例えば中空糸モジュールを用いることができる。また、第一の排水回収タンク１６ａ内部には排水検知手段３３を備えており、制御手段１８に配線されている。排水検知手段３３としては例えば重量センサを用いることができる。
【００８８】
上記構成において、制御手段１８にあらかじめ入力されたプログラムで、排水検知手段３３が排水を検知することによって第四のポンプ１０ｄを作動させ、第一の排水回収タンク１６ａ下部から排水を吸い上げ、中空糸モジュールを用いて精密濾過する。精密濾過され浄化された排水は第三の戻し配管２６ｃによって第一の排水回収タンク１６ａ内に戻され、連続して浄化することによって第一の排水回収タンク１６ａ内の排水が浄化される。このように第一の排水回収タンク１６ａに排水が分別回収されれば自動で浄化させることができる。また、第一の排水回収タンク１６ａ内で浄化された排水を戻し配管２６ａによって第二の洗浄液タンク１２に回収し再利用することもできる。
【００８９】
このように汚染濃度の異なる洗浄排水を別々に分別回収し、それぞれの汚染濃度に適した浄化処理方法を選択することができるようになり、エネルギー効率の良い排水処理を行うことができるようになる。
【００９０】
（実施の形態３）
図４は本発明の実施の形態３における吸光度検知手段３４の縦断面構成図を示したものである。実施の形態１、２と同一部分は同一符号を附し詳細な説明は省く。
【００９１】
図４のように、吸光度検出手段３４は分岐排水管１５に接続されており、光源３５と分光フィルター３６と光検出器３７を備えている。光源３５は、分岐排水管１５内に照射光が照射されるように排水に接するように配置されている。また、光源３５からの照射光が照射される分岐排水管１５内部の反対側には、分光フィルター３６と光検知手段３７が配置されている。光源３５としては例えばハロゲンランプを用いることができ、分光フィルター３６としては例えばバンドパスフィルターを用いることができ、光検知手段３７としては例えば照度センサを用いることができる。
【００９２】
上記構成において、分岐排水管１５内に洗浄排水が流れる際に光源３５から光を照射させると、分岐排水管１５内部を通過する有機物の濃度に依存して光が吸収され、光検知手段３７で検知される光量が減少する。光量に応じて光検知手段３７で変換される電流量が変化するので、光検知手段３７から出力される電流量をもとに光量を計測することができる。また、分光フィルターとしてバンドパスフィルターを用いることによって光ノイズを減らし、より精度良く排水中の汚染濃度を検出することができるようになる。
【００９３】
このように、検出される光量と排水中の汚染濃度の基準をあらかじめ設定しておき、基準値の光量が検出された際の汚染程度を判断するプログラムを制御手段１８に入れておくことで分岐排水管１５内を通過する洗浄排水の汚染程度を簡単迅速に検知することができる。
【産業上の利用可能性】
【００９４】
本発明の洗浄排水処理機能付き電気集塵機を用いることによって既存の排水処理設備がなくても洗浄排水を分別回収し、排水処理することができる電気集塵機を提供することができ、既存の排水処理設備がなくてもメンテナンスしやすい電機集塵機を利用することができるようになる。また、洗浄排水の浄化方法が効率的になるため、環境負荷の低い排水処理方法となり、浄化コストも低減させることができる。また、油煙排気装置など油を取り除く調理機器や産業用機器にも適用できる。
【図面の簡単な説明】
【００９５】
【図１】本発明の実施の形態１に記載の洗浄排水処理機能付き電気集塵機の構成図
【図２】本発明実施の形態１に記載の洗浄排水処理の動作フローを示す図
【図３】本発明の実施の形態２に記載の洗浄排水回収タンクの構成図（（ａ）同泡沫分離手段を備えた第三の排水回収タンクの構成図、（ｂ）同遠心分離手段を備えた第二の排水回収タンクの構成図、（ｃ）同精密濾過手段を備えた第一の排水回収タンクの構成図）
【図４】本発明の実施の形態３に記載の吸光度検知手段の構成図
【図５】従来の電気集塵機の排水処理設備の構成図
【符号の説明】
【００９６】
１        洗浄排水処理機能付き電気集塵機
２        筐体
３        集塵部
４        空気流入口
５        空気流出口
６        第一の洗浄液
７        第一の噴霧手段
８        第二の洗浄液
９        第二の噴霧手段
１０ａ    第一のポンプ
１０ｂ    第二のポンプ
１０ｃ    第三のポンプ
１０ｄ    第四のポンプ
１１      第一の洗浄液タンク
１２      第二の洗浄液タンク
１３      密閉手段
１４ａ    ドレインパン
１４ｂ    排水口
１５      分岐排水管
１６ａ    第一の排水回収タンク
１６ｂ    第二の排水回収タンク
１６ｃ    第三の排水回収タンク
１７ａ    第一の開閉手段
１７ｂ    第二の開閉手段
１７ｃ    第三の開閉手段
１８      制御手段
１９      固形物回収手段
２０      汚染濃度検知手段
２１      流速検知手段
２２      余剰油
２３      アルカリ洗浄剤
２４      水
２５      乾燥手段
２６ａ    戻し配管
２６ｂ    第二の戻し配管
２６ｃ    第三の戻し配管
２７      泡沫分離手段
２８      遠心分離手段
２９      精密濾過手段
３０      送気管
３１      送気ポンプ
３２      泡
３３      排水検知手段
３４      吸光度検知手段
３５      光源
３６      分光フィルター
３７      光検知手段
１０１    電気集塵機
１０２    洗浄配管
１０３    汚水配水管
１０４    汚水ピット
１０５ａ  ポンプａ
１０５ｂ  ポンプｂ
１０５ｃ  ポンプｃ
１０６    凝集剤溶解装置
１０７    汚水貯留槽
【図１】
2009061371.tif 000003
【図２】
2009061371.tif 000004
【図３】
2009061371.tif 000005
【図４】
2009061371.tif 000006
【図５】
2009061371.tif 000007